(57)【特許請求の範囲】
【請求項１】
適宜のボリュームを有し、一又は複数のフックと、ライン接続用のアイリングとを具えたルアー本体と、この本体から突出状に形成される張出片とを具え、
前記ルアー本体は、少なくとも上下に分割した２片の本体要素を含む、分割自在の複数の本体要素により構成されるものであり、この分割合わせ面のルアー幅方向中央近くに設けられた押さえリブによって張出片を挟むようにして保持させるようにしたことを特徴とする釣用ルアー。
【請求項２】
前記上下に分割された本体要素は、一又複数本の固定ピンにより固定維持されることを特徴とする請求項１記載の釣用ルアー。
【請求項３】
前記固定ピンは、頭部をアイリングとしピン状部にネジ山を有するヒートンを用い、このアイリングにフックを取り付けることを特徴とする請求項２記載の釣用ルアー。
【発明の詳細な説明】
【技術分野】
【０００１】
本発明は、釣用擬餌に関するものであって、特に飛翔昆虫等をより忠実に再現できるよう構成するのに適切な釣用ルアーに係るものである。
【背景技術】
【０００２】
渓流、河川、湖沼等で用いる釣用ルアーは、羽虫等を模したものが用いられることが多い。このようなタイプの釣用ルアーは、ルアー本体から羽等が張り出すように形成され、対象魚の注意を引くように構成されている。
しかしながら、多くの釣用ルアーにあっては、ルアー本体と羽等の張出片とが硬質樹脂によって、一体形成されており、リアリティの追及という視点からは、満足しきれるものはなかった。このため釣人の一部では、羽等の張出片をより自然に見せるため、硬質のルアー本体に、軟質の薄葉状素材を接着固定して形成することを試みている（特許文献１、２）。
しかしながら、このような接着手法では、当然ながらその固定は充分ではない。このため材料の劣化や繰り返しの屈曲による材料疲労、魚との激しいファイトとにより、それら後付け張出片は、ちぎれてしまうことが多かった。もとよりこのような状況となったとしても釣人の個人的な工夫、チューニングの範囲では、１回限りの使用限界についても、仕方ないものとして甘受されてきた。
【先行技術文献】
【特許文献】
【０００３】
【特許文献１】実用新案登録第３０６８１９４号公報
【特許文献２】実用新案登録第３０９０９７７号公報
【発明の概要】
【発明が解決しようとする課題】
【０００４】
本発明は、これらの種々の背景を考慮してなされたものであって、ルアー本体に対して、羽状等の張出片を強固に固定でき、また釣人自身が張出片を選択して釣用ルアーを構成しやすくした新規な釣用ルアーを開発することを技術課題とした。
【課題を解決するための手段】
【０００５】
請求項１記載の釣用ルアーは、適宜のボリュームを有し、一又は複数のフックと、ライン接続用のアイリングとを具えたルアー本体と、この本体から突出状に形成される張出片とを具え、
前記ルアー本体は、少なくとも上下に分割した２片の本体要素を含む、分割自在の複数の本体要素により構成されるものであり、この分割合わせ面のルアー幅方向中央近くに設けられた押さえリブによって張出片を挟むようにして保持させるようにしたことを特徴として成るものである。
【０００６】
請求項２記載の釣用ルアーは、前記請求項１記載の要件に加え、前記上下に分割された本体要素については、一又複数本の固定ピンにより固定維持されることを特徴として成るものである。
【０００７】
請求項３記載の釣用ルアーは、前記請求項２記載の要件に加え、前記固定ピンについては、頭部をアイリングとしピン状部にネジ山を有するヒートンを用い、このアイリングにフックを取り付けることを特徴として成るものである。
【発明の効果】
【０００８】
まず請求項１記載の発明によれば、ルアー本体が分割自在の複数の本体要素で構成され、この分割自在の構成を利用して、張出片を保持できるようにしたものであり、接着手法を排除したことから、張出片を強固にルアー本体に形成しながらも、張出片の自然な動きを阻害することなく固定することができる。また張出片の形状を選択することにより、種々の形態の釣用ルアーを構成することができる。
更にまたルアー本体は、上下に２分割されるように２片の本体要素によって構成されるものであり、この分割合わせ面のルアー幅方向中央近くに設けられた押さえリブによって張出片のもっとも典型的な羽等に相当する部材を挟むようにして保持させて固定することができる。
【０００９】
また請求項２記載の発明によれば、本体要素は、上下に２分割された１又は複数の固定ピンにより固定されるものであり、確実な固定ができる。
【００１０】
また請求項３記載の発明によれば、固定ピンは、頭部をアイリングとし、ピン状部位をらせんネジ状にしたヒートンタイプのものを用いるものであり、このアイリングを利用してフックを設けることができる。即ち固定部材と、フック取付具とを兼用させることができる。
【図面の簡単な説明】
【００１１】
【図１】本発明の釣用ルアーの使用状態を示す説明図である。
【図２】同上、斜視図並びに分解斜視図である。
【図３】同上、組立状態と分離状態を示す中央縦断面図である。
【図４】本願発明の張出片に関する他の実施例を示す説明図である。
【図５】本願発明の本体要素の分割形態に関する（ａ）参考的実施例、（ｂ）他の実施例を示す説明図である。
【図６】他の飛翔昆虫を模した本願発明の他の実施例を示す説明図である。
【発明を実施するための形態】
【００１２】
本発明を実施するための形態は、以下述べる実施例をその一つとするものであるとともに、この技術思想に基づく種々の改良した実施例も含むものである。
【実施例１】
【００１３】
以下、本発明を図示の実施例に基づいて具体的に説明する。
符号Ａは、本発明である釣用ルアーであって、図１、２に示すようにルアー本体１に翼片状の張出片２を形成し、一例として飛翔昆虫を模した形状とするものであり、このルアー本体１に対しライン４を接続し、ルアー本体１に設けたフック５により魚の捕捉を行うものである。なお本発明を説明するにあたっては、水中、水面での遊動状態に因み、釣用ルアーＡのライン４が締結される側の端部を前方、他端部を後方とし、またフック５が設けられる腹部側を下方として、その反対の背中側を上方として定義する。
【００１４】
以下本発明の釣用ルアーＡについて、詳細に説明する。
まずルアー本体１は、例えばモデル形態となる蝉、羽虫などの飛翔昆虫や、魚の餌となる水中生物の胴部に近似した形状とするものであり、適宜のボリュームを具える。このルアー本体１は、図２に示すように一例として上部の本体要素１１ａ、下部の本体要素１１ｂとが上下に分割されるように構成される。これら本体要素１１ａ、１１ｂが一体に接続する部位を分割合わせ面１２とするともに、一部に空間を構成して嵌込スペースＳを形成する。このとき分割合わせ面１２には、図３、図４に示すように、押さえリブ１３を設けるものであって、これにより後述するように張出片２の押さえを確実にする。具体的には一例として下部の本体要素１１ｂ側においてセンタリブ１３ｂを具えるとともに、上部の本体要素１１ａにおいて、２本の押さえリブ１３により形成されるリブ収め部１３ａを具えている。
また押さえリブ１３の他の形態としては、図３（ｃ）に示すような幅広リブ１３ｃを、本体要素１１ａ、１１ｂのいずれか一方または双方に設けるような、シンプルな構成として差し支えない。
【００１５】
更に各本体要素１１ａ、１１ｂは、図２（ｃ）、（ｄ）に示すようにその一部に係止部１４を設けるものであり、具体的には、上部の本体要素１１ａの後方寄りに側に係止凹部１４ａを形成するとともに、下方の本体要素１１ｂには係止突起１４ｂを具えるものである。当然ながら、この係止部１４のみの係合では、上部の本体要素１１ａと下部の本体要素１１ｂとの固定が充分ではなく、結果的には後述する固定ピン３により、両者を上下に貫くように固定する。そして、ルアー本体１における一例として下部の本体要素１１ｂには、その前方と後方にアイリング１５を埋込成型した状態で固定するものであり、前方のアイリング１５は、ライン接続用アイリング１５ａとし、後方のアイリング１５は、フック接続用アイリング１５ｂである。更に上部の本体要素１１ａには、固定のためのピン受け下穴１６を形成するとともに下部の本体要素１１ｂには、同じくピン通し孔１７を具える。
【００１６】
このようなルアー本体１に対して張出片２が設けられるものであり、この張出片２は、実質的に飛翔昆虫を想定したときに羽等の部位に相当するものである。
張出片２は、適宜の形態が採り得るものであり、一例として紐状張出片２１と（図４（ａ）、図５（ａ）参照）、フラップ状張出片２２のタイプ（図４（ｂ）、図５（ｂ）参照）とがそれぞれ構成し得る。もちろんこれ以外であっても、適宜の形態が採り得ることは言うまでもない。
【００１７】
次に釣用ルアーＡの組み立てにあたって用いる固定ピン３について説明する。固定ピン３は、いわゆるヒートンを一例として用いるものであって、ピン状部位に木ネジ状の螺旋突起を設けてネジ込み部３１とし、一方頭部にアイリング頭部３２を形成したものである。
【００１８】
このような各構成部材により釣用ルアーＡを形成するには、次のようにする。まず一例として紐状張出片２１を上部の本体要素１１ａと下部の本体要素１１ｂとによる分割合わせ面１２の間に挟み込み、固定ピン３により各本体要素１１ａ、１１ｂを固定する。更に詳しくは、前記張出片２である紐状張出片２１を設ける場合には、例えば下部の本体要素１１ｂにおける分割合わせ面１２に複数本の紐状張出片２１をルアー本体１の前後方向と直交する方向に並べ、その後これに上部の本体要素１１ａを被せるように重ね合わせる。
このとき図２、図４に示すように分割合わせ面１２の後方の係止凹部１４ａに係止突起１４ｂが嵌り込むような形となって、後方部位が固定される。
一方ルアー本体１の前方より部位におけるピン通し孔１７からピン受け下穴１６に固定ピン３が差し込まれ、ネジ込み部３１が捻じ込まれる。これにより上下に分割された本体要素１１ａと本体要素１１ｂとが一体に組み合わせられて、その分割合わせ面１２において紐状張出片２１が固定される。なお紐状張出片２１の固定状態は、押さえリブ１３によって更に確実なものとされる。
即ち図４に示すようにそのほぼ中心近くにおいてセンタリブ１３ｂとリブ収め部１３ａとの嵌まり合いによってジグザグ状に強固に挟み込まれる。なおこの押さえリブ１３は、更に多くの本数を配することができる。
【００１９】
そして前方の前記アイリング１５を利用して釣用ルアーＡがライン４に締結されるとともに、後方のアイリング１５と前記固定ピン３を利用したアイリング頭部３２とに、それぞれフック５が適宜の中継リング６を介して、自然な動きが取れる自由接続状態として取り付けられる。
【００２０】
〔他の実施の形態〕
本発明の釣用ルアーＡは、以上述べた実施の形態を一つの基本的な技術思想とするものであるが、更に次のような改変が考えられる。
具体的には、図４、５、６に示すように柔軟な素材を用いて、羽をより忠実に再現したフラップ状張出片２２を設けることも可能である。この場合には、分割合わせ面１２を用いるほか、例えば嵌込スペースＳを利用して、図４に示すように翼片状のフラップ状張出片２２を挟み込むようにして固定する。
【００２１】
またルアー本体１については、上下に２分割する実施例について説明したが、ルアー本体１を分割自在にする構成は、このようなもの限られず、図５（ａ）に示すようにルアー本体１の側部の一部が左右に分離した形状の本体要素（側部）１１ｄを設けて、これにより張出片２を保持するようにしてもよい。なおこのような左右方向の分割手法を採るときには、図５（ａ）に仮想線で示すような垂直のフィン状としたフィン状張出片２４を用いることができる。
なお図５（ｂ）として参考的実施例に示すように中心部を除いて左右に２分割する、いわば三枚おろし状の本体要素１１ｃとしてもよい。このようにしたときには、その分割合わせ面１２に張出片２の抜け止め部２３を保持させるようにして、左右を合体させる。
【００２２】
なお図６に示すものは、種々の張出片２のバリエーションであり、例えば、アメンボ脚状とした脚状張出片２５や、あるいは小型のトンボの尾部、羽を模したトンボ状張出片２６等の形態が採り得る。このように構成することにより、張出片２は、ルアー本体１に対し、強固に固定されるように形成される。また張出片２を適宜の選択することにより、ルアー本体１を共通しながらも、種々の昆虫の形態を模したルアーを作成することができる。なお種々の昆虫に応じてルアー本体１のサイズを変更しても差し支えない。この場合には、例えばルアー本体１を構成する樹脂素材の変更や、重量変更部材を設けるなどしてルアー全体の重さを調整し、キャスティング性能を維持することも可能である。
【００２３】
更に紐状張出片２１の変形として、図示を省略するが断面形状をより偏平状をした、帯状張出片を適用することも可能であり、このような帯状張出片と前述の紐状張出片２１とを適宜用いることで、水中での揺動時の集魚効果に変化をつけることができる。
もちろん紐状張出片２１についても、その材質を選択することより、その弾性特性を変化させてその変形状態を変えたり、またその素材の中に染料色素や、発光、発色、反射性などを有する要素を練り込むことより、異なる集魚効果を得られるようにすることも可能である。更に張出片２としては、図示を省略するが天然素材である動物の羽、毛などを用いることも可能である。
【符号の説明】
【００２４】
Ａ      釣用ルアー
Ｓ      嵌込スペース
１      ルアー本体
１１ａ  本体要素（上部）
１１ｂ  本体要素（下部）
１１ｃ  本体要素（側部）
１１ｄ  本体要素（上側部）
１２    分割合わせ面
１３    押さえリブ
１３ａ  リブ収め部
１３ｂ  センタリブ
１３ｃ  幅広リブ
１４    係止部
１４ａ  係止凹部
１４ｂ  係止突起
１５    アイリング
１５ａ  ライン接続用アイリング
１５ｂ  フック接続用アイリング
１６    ピン受け下穴
１７    ピン通し孔
２      張出片
２１    紐状張出片
２２    フラップ状張出片
２３    抜け止め部
２４    フィン状張出片
２５    脚状張出片
２６    トンボ状張出片
３      固定ピン
３１    ネジ込み部
３２    アイリング頭部
４      ライン
５      フック
６      中継リング
【図１】
0006257472.tif 000002
【図２】
0006257472.tif 000003
【図３】
0006257472.tif 000004
【図４】
0006257472.tif 000005
【図５】
0006257472.tif 000006
【図６】
0006257472.tif 000007